(57)【特許請求の範囲】
【請求項１】
通信ネットワークを経由して選択した通信局と無線通信局との間の通信セッション中にパケット・データを通信する方法であって、前記無線通信局はダイナミック割り付けアドレスにより前記通信セッション中に識別され、前記ダイナミック割り付けアドレスはアドレス・リストから選択され、前記無線通信局により異常セッション終了に続くデータの誤経路設定、及びハーフ・オープン接続の形成を防止する方法の改良において、
前記通信セッションが異常に終了したか否かを判断するステップと、
前記無線通信局を識別するために一時的に使用されるダイナミック割り付けアドレスは、選択したアドレス利用不可能期間の間他の無線通信局を識別するための再割り付けに利用不可能であると表示して、前記アドレス・リストを更新するステップと
を備える方法。
【請求項２】
前記判断のステップにおいて、前記通信セッションが異常に終了したと判断されたときは、前記選択した通信局により前記通信ネットワークを経由して、前記無線通信局向けに通信されたパケット・データを廃棄する更なるステップを備える請求項１記載の方法。
【請求項３】
前記通信セッションは、前記判断のステップにおいて、少なくとも選択したタイム・アウト期間の間前記無線通信局により発生したデータを前記通信ネットワークにおいて検出しないとき、異常に終了したと判断される請求項１記載の方法。
【請求項４】
前記通信ネットワークは、ＰＭＳＣ（パケット・データ移動交換局）を備え、前記判断のステップにおいて、少なくとも選択したタイム・アウト期間の間前記無線通信局により発生されるデータのＰＭＳＣを検出しないとき、前記通信セッションは、異常に終了したと判断される請求項３記載の方法。
【請求項５】
前記更新のステップにおいて更新された前記アドレス・リストは、前記ＰＭＳＣにより保持され、かつ前記アドレス・リストを更新するステップは、前記ＰＭＳＣにより実行される請求項４記載の方法。
【請求項６】
前記無線通信局を識別するために一時的に使用されたダイナミック割り付けアドレスが利用不可能となる前記選択したアドレス利用不可能期間は、前記選択した通信局が前記通信セッションを終了する前の、少なくとも最大期間と同程度の長さである請求項１記載の方法。
【請求項７】
前記選択したアドレス利用不可能期間の時間切れ後に、他の無線通信局を識別するために、前記無線通信局を識別するために一時的に使用されたダイナミック割り付けアドレスを利用可能となる様に解除する更なるステップを備える請求項１記載の方法。
【請求項８】
前記解除するステップは、前記無線通信局を識別するために一時的に使用された前記ダイナミック割り付けアドレスが他の無線通信局を識別するために再割り付けするために利用可能であるとの表示により、前記アドレス・リストを更新することを備える請求項７記載の方法。
【請求項９】
前記無線通信局は、移動端末に接続された移動ホストを含み、前記通信ネットワークは、ＩＰネットワークに接続されたＰＬＭＮ（公衆陸上移動電話網）を含み、前記ダイナミック割り付けアドレスは、前記移動ホストを固有に識別するＩＰアドレスを含み、かつ前記更新するステップにおいて更新された前記アドレス・リストは、前記ＩＰアドレスが再割り付けに利用可能であるか否かを示すための利用可能性インジケータと共に、前記ＩＰアドレスにより前記移動ホストを識別する請求項１記載の方法。
【請求項１０】
前記選択した通信局は、ＩＰホストを含み、前記ＩＰホストは関連するキープアライブ・タイマを有し、かつ前記無線ＩＰホストを識別するために一時的に使用される前記ＩＰアドレスが再割り付けに利用不可能となる前記選択したアドレス利用不可能期間は、少なくとも前記キープアライブ・タイマのタイム・アウト期間と同程度である請求項９記載の方法。
【請求項１１】
通信ネットワークを経由して選択した通信局と無線通信局との間の通信セッション中にパケット・データを通信するパケット・データ通信システムにおいて、前記無線通信局は、ダイナミック割り付けアドレスにより識別され、前記無線通信局により異常通信セッション終了に続くデータの誤経路設定を防止する装置の通信ネットワークとの組み合わせであって、前記装置は、
前記無線通信局により発生した通信の表示を受信するように接続された判断器であって、前記通信セッションが異常に終了したか否かを判断する前記判断器と、
異常通信セッション終了の前記判断器による判断に応答する動作が可能であって、前記無線通信局を識別するために一時的に使用された前記ダイナミック割り付けアドレスが選択したアドレス利用不可能期間の間他の無線通信局を識別するための再割り付けに利用不可能であるとする表示により、前記アドレス・リストを更新するアドレス・リスト更新器と
を備える装置。
【請求項１２】
前記判断器は、少なくとも選択したタイム・アウト期間の間通常の通信セッション終了と前記無線通信局により発生した通信との両者を検出しないときに、前記通信セッションが異常に終了したと判断するように動作可能である請求項１１記載の装置。
【請求項１３】
前記通信ネットワークは、ＰＭＳＣ（パケット・データ移動交換局）を備え、前記判断器は、ＰＭＳＣの一部を形成する請求項１１記載の装置。
【請求項１４】
前記アドレス・リスト更新器は、ＰＭＳＣの一部を形成する請求項１３記載の装置。
【請求項１５】
前記アドレス・リスト更新器は、前記無線通信局を識別するために一時的に使用されたダイナミック割り付けアドレスが、前記選択したアドレス利用不可能期間に続く前記他の無線通信局を識別するために再割り付けに適用可能であることの表示により前記アドレス・リストを更に更新する請求項１３記載の装置。
【請求項１６】
無線通信局と通信ネットワークを経由して選択した通信局との間の通信セッション中にパケット・データを通信する方法において、
アドレス・リストから選択した一時アドレスを前記無線通信局に割り付けるステップと、
前記通信セッション中に、前記割り付けるステップにおいて割り付けられた前記一時アドレスにより、前記選択した通信局によって前記無線通信局に通信されるべきパケット・データをアドレス指定するステップと、
通信セッション中に、前記一時アドレスによりアドレス指定されると、前記選択した通信局から前記無線通信局へ前記パケット・データを送出するステップと、
前記通信セッションは異常に終了したか否かを判断するステップと、
前記無線通信局を識別するために一時的に使用した前記一時アドレスが選択した期間の間他の無線通信局を通信セッション中に識別するための再割り付けに利用不可能であるとする表示により、前記アドレス・リストを更新するステップと、
前記判断するステップにおいて前記通信セッションが異常に終了したと判断されるときは、前記無線通信局向けに前記選択した通信局により送出した付加的なパケット・データを廃棄するステップと
を備える方法。
【請求項１７】
通信セッションにおいて選択した通信局と無線通信局との間でパケット・データを通信するパケット・データ通信ネットワーク用の装置において、
前記通信ネットワークに前記無線通信局の登録の表示を受信するように接続されたアドレス割り付け器であって、アドレス・リストを有し、通信セッション中に前記無線通信局に前記アドレス・リストから選択した一時アドレスを割り付ける前記アドレス割り付け器と、
前記無線通信局により発生された通信を受信するように接続され、前記通信セッションが異常に終了したか否かを判断する前記判断器と、
前記アドレス割り付け器に接続されて、前記通信セッションが異常に終了したという前記判断器の判断に対して動作可能に応答し、通信セッション中に前記無線通信局を識別するために一時的に使用された前記一時アドレスは、他の通信局を識別するための再割り付けに利用不可能であるとする表示により、前記アドレス・リストを更新する前記アドレス・リスト更新器と
を備える装置。
【発明の詳細な説明】
【０００１】
本発明は、概して無線ホストと他のホスト装置との間で通信セッション中に一時アドレスにより識別される無線ホストとのパケット・データの通信に関する。特に、本発明は、無線ホストによる通信セッションの異常終了に続くデータの誤経路設定を防止する方法及び装置に関する。
【０００２】
通信セッションが無線ホストにより異常に終了されると、他のホスト装置はこの終了に気付かずに、パケット・データを送信し続ける。本発明の一実施例の動作は、終了する無線ホストを確認するために使用された一時アドレスの再割り付けを選択的に保留し、これによって他の無線ホストを識別するための一時アドレスの再割り付けを防止する。かくして、他のホスト装置から意図しない無線ホストへのデータの誤経路設定を回避する。
【０００３】
本発明の一実施例は、例えばインターネット・アプリケーションにある。このようなアプリケーションでは、移動通信システム及びインターネット・バックボーンにより、無線ホストがインターネット・ホストに接続される。移動ホストによる異常通信セッション終了の場合は、無線ホストを識別するために使用された一時アドレスは、他の無線ホストを識別するために直ちに再割り付けされず、これによって意図しない無線ホストにデータを誤経路設定することを回避する。
【０００４】
（発明の背景）
近年、エレクトロニックス及び通信の分野における進歩のために、多くの新形式の通信システムが実現可能かつ商業的に実現可能になった。多くの例において、このような新形式の通信システムの導入及び商業化は、以前、このような情報を通信することができなかった場所に、余裕をもって情報を通信できる方法を提供した。
【０００５】
セルラ電話システムは、このような進歩のために実現可能にされた通信システムの１例である。セルラ電話システム、又は他の無線電話システムに従った通信は、無線周波数通信チャネルがそこで動作可能な送信局及び受信局を接続する通信チャネルを形成するので、好都合である。無線周波数通信チャネルは通信チャネルを形成するので、送信局と受信局との間に固定又はハードワイヤ接続が形成される必要はない。従って、通信を実施するために固定又はハードワイヤ接続の使用が不都合となる又は実際的でないときに、セルラ又は他の無線電話通信システムの利用は、特に好都合である。
【０００６】
更に、新しい無線通信システム、及び既に設置されたセルラ及び他の無線電話ネットワークに従った新しいサービス及び新しい形式の通信も開発された。
【０００７】
例えば、パケット・データ通信システムが開発された。パケット・データ通信システムでは、送信局と受信局との間で送信されるべき情報は、離散的なパケット・データにフォーマットされる。これらのパケットは、通信チャネルを介して送信局から受信局へ送信される。情報は、間欠的なバースト中に送信し得る離散的なパケットにより、送信されるので、送出局は、離散的なパケットを送出するために必要とされる期間中にのみチャネルを利用する。複数の送出局により使用される１共用チャネルが使用されてもよい。複数の送出局により単一チャネルを共用することができるので、個々の送信局に割り当てられる複数の専用チャネルは、不必要である。かくして、最低コストの通信が可能となる。
【０００８】
インターネットを介する通信、及びページング・ネットワークに従って実行される通信は、パケット・データを送信する通信システムの１例である。更に、複数の標準が、例えば既存のセルラ・ネットワークにおけるパケット・データの通信について記述された。既存のＧＳＭ（ｇｅｎｅｒａｌ  ｓｙｓｔｅｍ  ｆｏｒ  ｍｏｂｉｌｅ  ｃｏｍｍｕｎｉｃａｔｉｏｎ：移動通信用汎用システム）用に提案されたＧＰＲＳ（Ｇｅｎｅｒａｌ  ｐａｃｋｅｔ  ｒａｄｉｏ  ｓｅｒｖｉｃｅ：汎用パケット無線サービス）は、このような１提案である。ＧＰＲＳは、既存のＧＳＭセルラ・ネットワークにパケット・データを通信する能力を提供する。
【０００９】
ノートブック・コンピュータのような通信局（ホストと云う）は、パケット・データの送受信をする。インターネット・アプリケーションにおいて、ホストは通信装置から形成される。必須ではなく典型的には、ホストが無線通信システムを経由してインターネットをアクセスするときは、ホストは、ノートブック・コンピュータ又は他の携帯装置から形成される。また、インターネットが無線通信システムによりアクセスされるときは、ホストは、移動局又は例えばＰＣＭＣＩＡ無線モデム・カードのような無線トランシーバにも接続される。このホストは、移動局又はアナログ装置と共に、ときどき、以下まとめて無線通信局又は「無線ホスト」と呼ぶことにする。
【００１０】
無線通信局にパケットのデータを通信するためには、無線通信局を識別するアドレスにより、パケットがアドレス指定されることが必要である。インターネット・プロトコル（ＩＰ：Ｉｎｔｅｒｎｅｔ  ｐｒｏｔｏｃｏｌ）アドレスは、通信局を識別するためにしばしば使用される識別アドレスの１例である。アナログ・アドレスは、Ｘ．２５プロトコルのように、他のプロトコルに従って使用される。
【００１１】
無線通信局を識別するために使用される識別アドレスは、一時識別アドレスにより一時的に割り付け可能にされる。パケット・データは、無線通信局を識別するために一時アドレスを割り付けてることにより、一時アドレスによりアドレス指定可能にされる。従って、パケット・データは、無線通信局を識別するために経路設定可能にされる。各通信セッションのために無線通信局に対して新しい一時アドレスを割り付けることができるので、無線通信局は、永久的な識別コードが割り付けられている必要はない。更に、一時アドレスは、限定された時間のみにつき無線通信局を識別するために使用されるので、必要に応じることをベースにして、同一のアドレスを再割り付け可能である。
【００１２】
しかしながら、無線通信局が通信セッションを異常により終了すると、問題が発生する。例えば、インターネット・アプリケーションにおいて、無線通信局は、他のホスト装置をアクセスしてこれから情報を要求することもできる。また、先に述べたように、ノートブック・コンピュータは、無線通信局の一部を形成してもよい。通信セッション中に、ノートブック・コンピュータが通常のログ・アウト手順を経ることなく、シャット・ダウンすれば、他のホスト装置は、通信セッションの終了が通告されないことになり得る。同様に、無線通信局に対する電力供給が中断されたとき、又は無線通信局がインターネットをアクセスする無線通信ネットワークのサービス・エリア外に移動したときは、他のホスト装置には、終了が通告されないことになり得る。通信セッションが終了すると、無線通信局を識別するために使用された一時アドレスは、他の無線通信局に再割り付けされることもあり得る。また、パケット・データは、一時識別アドレスによって新たに識別された無線通信局に誤経路設定されることもあり得る。
【００１３】
従って、異常な通信セッション終了に続いてパケット・データの誤経路設定を防止する方法は、好適なものとなる。
【００１４】
このような背景に照らして、本発明の顕著な改善を導き出したのは、パケット・データ通信に関する情報である。
【００１５】
（発明の概要）
従って、本発明は、無線ホストと他のホスト装置との間の通信セッションの異常終了に続くデータの誤経路設定を防止する方法及び装置を好適に提供する。
【００１６】
本発明の１特徴において、無線ホストは、一時アドレスにより識別される。無線ホストにより通信セッションが異常に終了されると、他の装置は、その終了に気付くことなく、パケット・データを送出し続ける。本発明の一実施例は、一時アドレスの再割り付けを選択的に保留する。これによって、他の無線ホストを識別するために一時アドレスの再割り付けが防止される。かくして、他のホスト装置により、意図していない無線ホストに通信されるデータの誤経路設定が回避される。
【００１７】
本発明の他の特徴において、無線ホストは、ＴＣＰ／ＩＰのようなインターネット・プロトコルを利用するインターネット接続により、他のホスト装置をアクセスする。無線ホストによる異常通信セッション終了の場合に、無線ホストを識別するために使用される一時アドレスは、他の無線ホストを識別するために直ちに再割り付けられることはない。その代わりに、その一時アドレスは、再割り付けに利用不可能であるとして認識される。一時アドレスを少なくとも選択した期間につき再割り付けできないので、ホスト装置から意図していない無線ホストへのデータの誤経路設定が回避される。
【００１８】
ホスト装置から意図していない無線ホストへのデータの誤経路設定を防止することは、そうでなければ誤経路設定されることになるデータを廃棄し、かつ無線リンクを介して無線ホストに送信しないので、無線通信システムにおいて望ましくないトラヒックのトラヒック負荷を減少させる。加えて、無線通信システムのインターネット・サービスのユーザに対する課金が無線通信システムにおいて通信したトラヒック量によっているときは、データの誤経路設定の防止は、通信セッションの異常終了のために適当な無線ホストに送信することができないトラヒックに対応する課金を防止する。
【００１９】
従って、これら及びその他の特徴において、方法及び対応する装置は、選択した通信局と通信ネットワークを経由して無線通信局との間の通信セッション中にパケット・データを通信する。前記無線通信局は、ダイナミック割り付けのアドレスにより識別される。前記ダイナミック割り付けのアドレスは、アドレス・リストから選択される。無線通信局による異常セッション終了に続くデータの誤経路設定、及びハーフ・オープン接続（ｈａｌｆ−ｏｐｅｎ  ｃｏｎｎｅｃｔｉｏｎ）の形成が防止される。その通信セッションが異常で終了したか否かについて判断を行う。その通信セッションが異常で終了したと判断したときは、ダイナミック割り付けのアドレスを選択するアドレス・リストが更新される。このアドレス・リストは、無線通信局を識別するために一時的に使用したダイナミック割り付けアドレスが選択した期間につき他の無線通信局を識別するために再割り付けに利用不可能であるという表示により更新される。
【００２０】
本発明及びその範囲のより完全な理解は、以下、簡単に要約される添付図面、本発明の現在好ましい一実施例の以下の詳細な説明、及び付記する請求の範囲から得られる。
【００２１】
（詳細な説明）
まず図１を参照すると、１０に概略的に示されているパケット・データ移動通信システムは、２つの通信局間、ここではインターネット・ホスト１２と無線ホスト１４との間でパケット・データ通信が可能である。無線ホスト１２と無線ホスト１４との間に通信セッションが形成されると、ホスト１２及び１４のうちの一方で発生したパケット・データが通常の形式によりホストの他方に通信される。通信システム１０は、全くの一実施例であり、図示のように、ＧＳＭ（移動通信用グローバル・システム）システムの標準仕様に従って動作できるように構築された通信システムにほぼ対応する。同様に、ＰＤＣ（ｐａｃｉｆｉｃ  ｄｉｇｉｔａｌ  ｃｅｌｌｕｌａｒ：太平洋ディジタル・セルラ）システムの標準仕様に適合するシステムのような他の通信システムを表してもよい。また、本発明の一実施例は、他の通信システムにおいても同様に動作可能である。
【００２２】
図に示す実施例において、ホスト１２と１４との間に通信セッションが形成されると、ホスト１２と１４との間でパケット・データの双方向通信が許可される。即ち、ホスト１２により発生したパケット・データをホスト１２に送出することができまたホスト１４により発生したパケット・データをホスト１２に送出することができる。
【００２３】
無線ホスト１４は、無線トランシーバ１６に接続されたノートブック・コンピュータ、ここではセルラ通信システムにおいて動作可能な移動端末のような処理局を形成している。他の実施例において、無線トランシーバ１６は、ＰＣＭＣＩＡ無線モデムのような他の無線トランシーバから代替的に形成される。
【００２４】
無線トランシーバ１６は、処理局１４により発生した信号を無線通信局１６と通信システム１０のネットワーク施設との間に形成された無線リンク上に送信できる形式に変換する動作が可能である。無線ホスト１４及びトランシーバ１６は、相互に無線通信局１８を形成し、そのホスト１４はデータ・シンクのデータ・ソースを形成している。
【００２５】
通信システム１０のネットワーク施設は、形成された無線リンクにより無線トランシーバ１６による通信信号を送受信するように通常の形式により配置された基地トランシーバ局２２を含む。基地局２２は、続いて基地局コントローラ２４に接続されている。基地局コントローラ２４は、通信システム１０の他の選択された基地局（図に示されていない）と同様に基地局２２の動作を制御するように動作可能である。
【００２６】
基地局コントローラ２４は、続いて、パケット・データ移動交換局２８に接続されている。交換局２８は、信号パスを形成するための接続を得る交換機能を実行してインターネット・ホスト１２と無線ホスト１４との間でパケット・データ通信を可能にする。パケット・データ移動交換局２８は、無線通信局１８へ又はこれにより通信される回線交換データの送信中に、使用される交換局（図に示されていない）と物理的に同一位置に配置されてもよい。
【００２７】
パケット・データ移動交換局２８は、続いて、ルータ３２に接続され、これはインターネット・ホスト１２において発生した、又はここで終端されるパケット・データを経路設定するように動作可能である。このルータは、続いて、ＩＰネットワーク・バックボーン３４に接続され、これにはインターネット・ホスト１２が通常の方法により接続されている。
【００２８】
パケット・データ移動通信システム１０は、無線ホスト１４と、ＩＰネットワーク・バックボーン３４に接続されたほとんど全てのインターネット・ホスト１２との間のパケット・データを好適に通信可能にする。即ち、ほとんど全てのインターネット・ホスト１２により無線ホスト１４をアクセスでき、かつ無線ホスト１４により任意のインターネット・ホスト１２をアクセスできる。
【００２９】
通信を実施するために、無線ホスト１４は、特定の通信セッションにおいて無線ホストを識別するために一時ＩＰアドレスが割り付けられる。この一時ＩＰアドレスは、インターネット・ホストとのインターネット接続を経由して通信するために、無線ホスト１４による接続の確立中に、無線ホスト１４に割り付けられる。例えば、ポイント・ポイント・プロトコル（ＰＰＰ）は、ホスト１２と１４との間に接続を確立するために使用される。通常の方法において、通信セッションの完了により、一時ＩＰアドレスは、他の通信セッションに従うホストを識別するために再割り当て及び再割り付けに利用可能となる。
【００３０】
本発明の一実施例の動作は、無線通信局１８による通信セッションの異常終了の場合に生じる恐れのある問題を回避する。例えば、無線ホスト１４のユーザが通信セッション中に無線ホストに対する給電を終結させたときに、異常通信セッション終了が発生する恐れがある。例えば、無線ホスト１４がノートブック・コンピュータから形成されているとき、又はノートブック・コンピュータに電力を供給している携帯電源がホストの連続動作を阻止する限度まで放電したときは、ノートブック・コンピュータのユーザは、通常のログ・オフ手順なしにコンピュータをシャットダウンする恐れがある。
【００３１】
更に、無線トランシーバ１６が通信セッションのネットワーク施設との接触を喪失したとき、又は無線トランシーバに電力を供給している携帯電源が放電してその連続動作を阻止したときは、通信セッションの異常終了が発生する恐れがある。
【００３２】
本発明の一実施例の動作中に、通信セッションが異常に終了したと移動交換局２８が判断すると、無線通信局による無線リンクは、切り離される。しかし、通信セッション中に無線ホスト１４を識別するために前に使用されたＩＰアドレスは、他のホストを識別するために再割り当て及び再割り付けに利用可能であると直ちに印付されない。その代わりに、ＩＰアドレスは、少なくとも選択した期間につき再割り当て及び再割り付けに利用不可能であると表示される。
【００３３】
ここで、パケット・データ移動交換局２８は、なかんずく、基地局コントローラ２４とルータ３２との間に通信パスを実現させるスイッチング回路３８を含むのが示されている。更に、交換局２８は、無線通信局１８により発生しかつ通信システム１０のネットワーク施設で受信された通信信号の表示を受け取るように接続された。判断器４２を含む。判断器４２は、無線ホスト１４とインターネット・ホスト１２との間に形成された通信セッションが異常終了したか否かを判断する。この判断は、一実施例において、選択した期間内に無線通信局１８から通信信号が受信されたか否かを判断することにより、行われる。選択した期間内に無線通信局から通信信号が受信されなかったときは、通信セッションは異常終了したと判断される。交換局２８は、更にアドレス・リスト４５を含み、これは、無線ホストを識別するために割り当てかつ割り付けることができる（ここではＩＰ）アドレスのリストを含む。
【００３４】
異常通信セッション終了の場合は、ハーフ・オープンＴＣＰ接続が残る。即ち、通信セッションが終了しても、インターネット・ホストは終了について気付かず、無線ホストに対してパケット・データを送出し続ける。本発明の一実施例の動作は、無線ホストをアドレス指定するために使用された一時ＩＰアドレスの再割り当て及び再割り付けを防止する。かくして、他の無線ホストに対するハーフ・オープンＴＰＣ接続中に発生したパケット・データの誤経路設定は、防止される。
【００３５】
例えば、通信システム１０の動作中に、ＴＣＰ／ＩＰ接続がインターネット・ホスト１２と無線通信局１８との間に通常の方法により形成される。その後、インターネット・ホスト１２と無線ホスト１４との間で通信セッションが実行される。ＴＣＰ／ＩＰ接続を形成するために、アドレス・リスト４６から選択された利用可能なＩＰアドレスは、無線ホスト１４に割り付けられる。無線ホスト１４において終端されるパケット・データは、無線ホストを識別するために使用されるＩＰアドレスにより、アドレス指定される。異常通信セッション終了の場合は、ハーフ・オープンＴＰＣ接続が残る。また、パケット・データは、継続してホスト１２により無線ホスト１４のＩＰアドレスをもってアドレス指定される。
【００３６】
交換局２８の判断器４２が通信セッションが異常終了したと判断すると、判断器４２は、アドレス・リスト更新器４８に指令を出して、ＩＰアドレスはもはや無線ホスト１４を識別しないが、しかしＩＰアドレスは他の無線ホストを識別するために再割り当て及び再割り付けに利用できないことを表す標識をもってアドレス・リスト４６を更新する。即ち、アドレス・リスト更新器４８は、アドレス・リスト４６を更新して、アドレスに「空きと印が付けられる」が、再割り当て及び再割り付けには利用できない。その後、交換局２８において、無線ホスト１４を識別するために前に使用されたＩＰアドレスによりアドレス指定されたパケット・データが受信されたときは、このパケット・データは廃棄される。ＩＰアドレスは他の無線ホストを識別するために再割り当て及び再割り付けに利用不可能にされているので、新たに識別された無線ホストに対するパケット・データの誤経路設定は、回避される。
【００３７】
一実施例において、通信信号を受信したか否かについて判断を行う選択した期間は、その状況による。例えば、ダウンリンク・パケット送信中に即ちネットワークから無線ホストへの無線コンタクトを喪失すると、比較的に短い期間、例えば２分後に、通信セッション終了についての判断を行う。２ホスト間で進行中のデータ交換がないときは、無線ホストを登録することなく、長い期間、例えば完全な登録期間に対応する期間の後にのみ判断を行う。
【００３８】
図２は、概要的に５０により表し、パケット・データ移動通信システムにおける本発明の一実施例の動作を表す時間ラインを示す。前述のように、ここでは５２により表すコネクションは、無線ホスト１４とインターネット・ホスト１２との間に形成されている。無線ホスト１４とインターネット・ホスト１２との間におけるパケット・データの通信は、ホスト１２と１４との間にコネクション５２を保持している間は、可能である。
【００３９】
Ｘ印５４は、無線ホスト１４により通信セッションの異常終了を発生させる接続の破断を示す。時間５６に示す通信セッションがタイム・アウトしたときに、パケット・データ移動交換局２８により接続の破断が存在すると判断される。通信セッションは、ここで接続の破断５４の形成に続く矢印５８により示す選択した期間でタイム・アウトする。ホスト１２と１４との間の接続が破断されたと判断されたときに判断を行うと、このセッションがタイム・アウトし、異常通信セッション終了に至る。無線ホスト１４により発生される通信信号が矢印５８により示される期間につき交換局２８において検出されないときは、通信セッションが異常に終了したと判断される。
【００４０】
セッションがタイム・アウトすると、交換局２８に保持されたアドレス・リスト４６は、更新されて無線ホスト１４を識別するために使用されたＩＰアドレスが空きであることを表示するが、しかし少なくとも選択した期間、他の無線ホストを識別するために再割り当て及び再割り付けすることに利用できない。
【００４１】
その後、ホスト１２により発生された付加的なパケットのデータ及び無線ホスト１４を識別するために使用され、ここでは、線６２により示されているＩＰアドレス６２は、交換局２８において廃棄される。
【００４２】
ＴＰＣプローブ・セグメントは、ホスト１２により送出され得るＩＰパケットを無線ホスト１４に送出する１例である。ＴＰＣプローブ・セグメントは、いわゆる「キープアライブ・タイマ」がインターネット・ホストにおいて時間切れになったときに、送信される。「キープアライブ・パケット」は、２時間の通信不活性後に送出される。ＴＰＣパケットは、ホスト１２と１４との間の接続が通常に終結される前に、７５秒毎に１０回送出される。ＩＰアドレスがアクセス不能であり、かつ他の無線ホストを識別するために再割り当て及び再割り付けすることが許容されない期間は、この期間即ち２時間１５分（２時間＋１０Ｘ７５秒）の期間に対応する。かくして、意図していない無線ホストに対するデータの誤経路設定が回避される。また、無線ホストに誤経路設定された不要なトラヒックに対する課金は、回避される。
【００４３】
図３は、７０に概略的に示すシーケンス図を表し、無線ホスト１４が複数パケットのデータを無線トランシーバ１６を経由してホスト１２に要求送信を開始するときの、通信システム１０の動作中のシグナリングを示す。簡単にするために、シーケンス図７０は、無線ホスト１４及び移動端末１６が部分を形成する無線通信局１８への、またこれからのシグナリングを示す。無線ホスト１４により発生されたパケット通信要求（ＰＣＲ）７６は、移動端末１６に供給され、かつ無線リンク上を無線ネットワークの交換局２８に供給される。
【００４４】
要求７６がネットワークにおいて受信され、ここで認証要求７８及び認証応答８２により表される認証手順が実行される。無線通信局１６が認証されると、無線通信局１８へ逆に延伸するライン８６により示される無線ホスト１４に対してＩＰアドレスが割り当て、かつ割り付けられる。また、通信セッションが要求されるインターネット・ホストは、ライン８８により示され、無線ホストに割り付けられたＩＰアドレスが通知される。
【００４５】
ホスト１２と１４との間に接続９２が形成される。ここで、Ｘ印９４により表す接続９２における破断は、先に説明したように、異常通信セッション終了を判断するに至る。通信セッションが異常終了したと判断されると、無線ホストを識別するために使用されたＩＰアドレスは、このＩＰアドレス・リストにおいて空きとしての印が付けられるが、他のホストを識別するために再割り当て及び再割り付けることに利用できない。
【００４６】
インターネットホスト１２により無線ホスト１４にアドレス指定され、かつライン９６により表された、インターネット・ホスト１２により送信される次の複数パケットのデータは、交換局２８において受信されたときに廃棄される。
【００４７】
図４は交換局２８に保持されたアドレス・リスト４６を示す。図示のように、このアドレス・リストは、空きの印が付けられる、即ち無線ホストを識別するために使用されていないとする一時ＩＰアドレスのリストを含む。アドレスに対してインデックスされたのは、無線ホストを識別するために割り当て及び割り付けられるべき利用可能なアドレスの表示である。以上で述べた理由により、ＩＰアドレスが無線ホストを識別するために割り当て及び割り付けることに利用できないときは、アドレスの利用不可能が以上のように表される。アドレス・リスト２６が例えば更新器４８（図１に示されていない）により更新されるので、このアドレスは以後、他の通信セッション中に他のホストを識別するために割り当て及び割り付け可能となる。
【００４８】
図５は、概略的に１０に示された本発明の一実施例の方法を表す。この方法１１０は、図１に前に示したシステム１０のように、パケット・データ通信システムにおいて動作可能である。この方法１１０は、例えば、パケット・データ移動交換局の一部を形成している処理装置によるアルゴリズムを実行することにより、実施される。
【００４９】
まず、ブロック１１２により表されているように、通信セッションは、図１に示すホスト１２及び無線ホスト１４のように、２ホスト装置間に形成される。通信セッションが形成されると、通常の方法により、ホスト間でパケット・データを送信することができる。
【００５０】
次いで、ブロック１１４により表すように、タイマが起動される。その後、判断ブロック１１６により示すように、無線ホストがその一部を形成している無線通信局から通信信号を受信しているか否かを判断する。そのとおりであれば、判断ブロック１１８へイエスの分岐を取り、ログ・アウトが要求されているか否かについて判断を行う。
【００５１】
そのとおりであれば、判断ブロック１２２へイエスの分岐を取り、通常のログ・アウト手順が実行される。ログ・アウト要求、即ち通常の通信セッション終了が発生されていなかったときは、判断ブロック１１８からブロック１２４へノーの分岐を取り、タイマがリセットされる。判断ブロック１１６に戻る分岐を取る。
【００５２】
判断ブロック１１６において無線通信局から通信信号が検出されないときは、判断ブロック１２８へノーの分岐を取る。判断ブロック１２８において、ブロック１１４において起動したタイマはタイム・アウトしたか否かについて判断をする。ノーのときは、判断ブロック１１６に戻るノーの分岐を取る。逆に、タイマがタイム・アウトしたときは、判断ブロック１２８からブロック１３２へイエスの分岐を取り、ＩＰアドレス・リストを更新する。ＩＰアドレス・リストが更新されて、無線ホストを識別するために前に使用したＩＰアドレスが空きとなるが、選択した期間は利用できないことを表示する。
【００５３】
その後、判断ブロック１３６により表すように、付加的な複数パケットのデータがインターネット・ホストにより発生され、かつ異常終了の通信セッションの無線ホストに対してアドレス指定されているか否かについて判断を行う。付加的な複数パケットが発生されたときは、ブロック１３８へイエスの分岐を取り、付加的な複数パケットのデータは無視される。
【００５４】
その後、判断ブロック１４２により表すように、空きの印が付けられたＩＰアドレスが利用できない期間が経過したか否かについて判断を行う。更に、判断ブロック１３６から判断ブロック１４２へノーの分岐を取る。期間が経過していなかったときは、判断ブロック１４２から判断ブロック１３６へ戻るノーの分岐を取る。そうでないときは、ブロック１４４へイエスの分岐を取り、ＩＰアドレス・リストが更新されて、他の通信セッション中に他のホストを識別するために再割り当て及び再割り付けに再度利用できることを表示する。
【００５５】
かくして、本発明の一実施例の動作により、無線ホストにより通信セッションの異常終了に続くデータの誤経路設定が回避される。通信セッションが異常終了されたと判断されると、無線ホストを識別するために使用されたＩＰアドレスは、少なくとも選択した期間における他の通信セッション中に他のホストを識別するために再割り当て及び再割り付けに適用不可として印が付けられる。
【００５６】
以上の説明は、本発明を実施するために好ましい実施例であり、かつ本発明の範囲は、この説明に限定される必要はない。本発明の範囲は、下記の請求の範囲によって定義される。
【図面の簡単な説明】
【図１】  本発明の一実施例が動作可能となる例示的な通信セッションの機能ブロック図を示す。
【図２】  本発明の一実施例が動作を説明する時間ライン図を示す。
【図３】  本発明の一実施例の動作中の信号シーケンスを示すシーケンス図を示す。
【図４】  本発明の一実施例の動作中に更新されるアドレスの利用可能性情報を有するアドレス・リストを示す。
【図５】  本発明の一実施例の動作方法を説明する方法のフロー・チャートを示す。
【図１】
0004050462.tif 000002
【図２】
0004050462.tif 000003
【図３】
0004050462.tif 000004
【図４】
0004050462.tif 000005
【図５】
0004050462.tif 000006